(57)【特許請求の範囲】
【請求項１】
本管(1）に立設した支柱(4）に回動自在に取り付けられたレバー本体(5）を有し、当該レバー本体(5）の一端に前記本管(1）に開設されたトーンホール(0）を開閉するキーパッド(P）が設けられ、他端に前記キーパッド(P）を開閉作動するための押圧部(12)が形成されたサクソフォンのサイドキーにおいて、
前記サイドキー(10)の押圧部(12)は、前記レバー本体(5）側から一体に上方に伸延された伸延部(13)と、当該伸延部(13)に対して上下方向のみに突出あるいは後退し得るように設けられたステイ部材(14)と、当該ステイ部材(14)を前記伸延部(13)の所定位置に固定する固定部材(16)とを有し、前記レバー本体(5）に対し上下方向高さを調節可能としたことを特徴とするサクソフォンのサイドキー。
【請求項２】
前記押圧部(12)は、前記ステイ部材(14)又は前記伸延部(13)のいずれか一方に形成された溝部(17)にいずれか他方が摺動自在に嵌合され、当該摺動面を凹凸のある粗面としたことを特徴とする請求項１に記載のサクソフォンのサイドキー。
【発明の詳細な説明】
【０００１】
【発明の属する技術分野】
本発明は、押圧部の高さが自由に調節可能としたサクソフォンのサイドキーに関する。
【０００２】
【従来の技術】
一般に、サクソフォンは、図５に示すように、本管１に１８から２３個のトーンホールが開設され、これらトーンホールに設けられたキーパッドＰを、キーメカニズムＭを操作することにより適宜選択的に開閉することにより音の高さを調節している。
【０００３】
このキーメカニズムＭには、サイドキー２や操作レバー３が設けられているが、これらがどのような位置にあるか、あるいはどのような高さとされているかは、奏者にとっては極めて重要であり、これによりサクソフォンの扱いやすさ、演奏しやすさが、左右されるといっても過言でない。就中、サイドキー２は、例えば左手の指が乗り越えて操作レバー３を操作する場合に、当該指の腹で押圧して操作する部分であることから、その高さが重要である。
【０００４】
したがって、演奏者の手の大小や、熟達度合いから、サイドキー２も種々の位置あるいは高さのものが製造され、また各メーカー毎あるいは機種毎によっても様々なものとなっている。
【０００５】
【発明が解決しようとする課題】
ところが、サイドキー２は、本管１に立設された支柱４に回動自在に取り付けられたレバー本体５を有し、当該レバー本体５の一端には前記キーパッドＰが取り付けられ、他端には押圧部６が形成されているが、この押圧部６は、レバー本体５と一体に形成されているので、簡単には高さ調節ができないものである。また、サクソフォンを購入するに当たって、自分にマッチしたものを選択したとしても、後日、演奏の熟達度が向上するにしたがって、押圧部６の位置や高さが問題となる虞れがあり、このような事態が生じても、簡単には修理できないという不具合もある。
【０００６】
本発明は、上述した従来技術の課題に鑑みてなされたもので、演奏者の手の大小や、熟達度合い如何に拘らず、演奏しやすく、また機種によっても簡単に変更可能なサクソフォンのサイドキーを提供することを目的とする。
【０００７】
【課題を解決するための手段】
上記目的を達成するための請求項１に記載の発明は、本管に立設した支柱に回動自在に取り付けられたレバー本体を有し、当該レバー本体の一端に前記本管に開設されたトーンホールを開閉するキーパッドが設けられ、他端に前記キーパッドを開閉作動するための押圧部が形成されたサクソフォンのサイドキーにおいて、前記サイドキーの押圧部は、前記レバー本体側から一体に上方に伸延された伸延部と、当該伸延部に対して上下方向のみに突出あるいは後退し得るように設けられたステイ部材と、当該ステイ部材を前記伸延部の所定位置に固定する固定部材とを有し、前記レバー本体に対し上下方向高さを調節可能としたことを特徴とする。
【０００８】
このようにすれば、使用者にとっては、サイドキーの押圧部の高さを調節することにより、使用開始から自分の手にあった状態で演奏することができ、また演奏の熟達度が向上すれば、再度調節することもできる。また製造者にとっても種々の高さの押圧部を有するものを製造する必要がなく、主要部を共用化できるので、種々の機種を作る必要もなく、コスト的にも極めて有利となる。また、伸延部に対してステイ部材を進退させるのみでサイドキーの押圧部の高さ調節を簡単に行なうことができる。
【００１１】
請求項２に記載の発明では、前記押圧部は、前記ステイ部材又は前記伸延部のいずれか一方に形成された溝部にいずれか他方が摺動自在に嵌合され、当該摺動面を凹凸のある粗面としたことを特徴とする。
【００１２】
このようにすれば、ステイ部材と伸延部との間で滑りが生じることはなく、ステイ部材を確実に伸延部に取り付けることができ、両者の当接状態が一体に形成したものと同様強固なものとなる。
【００１３】
【発明の実施の形態】
以下、発明の実施の形態を図面に基づいて説明する。
図１は本発明の実施の形態を示す正面図、図２は図１の２−２線に沿う断面図、図３は図１の３−３線に沿う断面図、図４は本発明の他の実施の形態を示す要部正面図である。なお、図５に示す部材と共通する部材には同一の符号を付してある。
【００１４】
本実施の形態のサイドキー１０は、ＨｉｇｈＤ等の音を出すために使用されるものであり、図１，２に示すように、本管１に立設されている支柱４にピン１１等により回動自在に取り付けられたレバー本体５を有し、当該レバー本体５の一端に前記本管１に開設されたトーンホール０を開閉するキーパッドＰが設けられ、他端に前記キーパッドＰを開閉作動するための押圧部１２が形成されている。
【００１５】
この押圧部１２は、前記レバー本体５に対し上下方向高さを調節可能とされ、本管１の表面からの高さが自由に選択できるようになっている。つまり、この押圧部１２は、レバー本体５側から一体に上方に伸延された伸延部１３と、この伸延部１３とは別体に形成されたステイ部材１４と、当該ステイ部材１４の上端に一体に設けられたヘッド部１５と、前記ステイ部材１４を伸延部１３の所定位置に固定するねじ等から構成された固定部材１６とから構成されている。
【００１６】
前記伸延部１３には、図３に示すように、Ｕ字状の段付溝部１７が形成され、この段付溝部１７の第１段溝部１７ａには、ステイ部材１４が摺動自在に嵌挿され、第２段溝部１７ｂには、前記固定部材１６が挿通するようになっている。
【００１７】
この伸延部１３とステイ部材１４とを所定位置に固定する場合、ステイ部材１４が伸延部１３に対し横ずれないことが好ましいことから、本実施の形態では、このステイ部材１４の段付溝部１７側の面にジグザグ状の凹凸部１８を形成している。
【００１８】
このようにサイドキー１０の押圧部１２は、ステイ部材１４とヘッド部１５が一体に、またこれらと伸延部１３とが別体に形成され、しかも伸延部１３の溝部１７に対してステイ部材１４個が上下方向のみ伸縮し得るように凹凸嵌合されているので、サイドキー１０の高さが使用者にマッチしない場合には、押圧部１２を操作して高さ調節が可能となる。
【００１９】
つまり、固定部材１６を緩め、伸延部１３の第１段溝部１７ａ内でステイ部材１４を上方又は下方にスライドし、押圧部１２が所定の高さとなると、固定部材１６を再度締め付けることによりサイドキー１０の高さを調節することができる。
【００２０】
また、このようにして調節されたサイドキー１０のに加圧力が加わっても、ステイ部材１３は、第１段溝部１７ａの内壁で横方向移動不能に保持され、また上下方向にも固定部材１６により移動不能に保持されるので、ガタ付く虞れはなく、レバー本体５がピン１１を中心として回動され、キーパッドＰがトーンホール０を開放することになる。
【００２１】
この結果、使用者は、サイドキーの押圧部１２の高さを自由に調節することにより、使用開始から自分の手にあった状態で演奏することができ、演奏の熟達度が向上すれば、押圧部１２の高さを再度調節することもできる。また、サクソフォンの製造者にとっても種々の高さの押圧部を有するものを製造する必要がなく、主要部を共用化できるので、種々の機種を作る必要もなく、コスト的にも極めて有利となる。
【００２２】
上述したものは、本発明の一つの実施の形態であり、本発明は、特許請求の範囲に記載の要旨を逸脱することなく、種々変更することができる。
【００２３】
例えば、前記実施の形態では、押圧部１２は、伸延部１３及びステイ部材１４を有するとともに当該ステイ部材１４の上端に一体にヘッド部１５が設けられているが、このヘッド部１５は、図４に示すように、例えば、ステイ部材１４の上端に形成された凸部１９に、当該ヘッド部１５に形成された凹部１５ａを差し込み、ねじ等により固定するようにしても良い。このようにすれば、このヘッド部１５の肉厚ｔの変更により、さらに高さ調節の態様が増大することになる。
【００２４】
なお、図４中符号「２０」は固定用ねじを取付けるねじ孔である。
【００２５】
また、ジグザグ状の凹凸部１８は、ステイ部材１４の段付溝部１７個の面に形成されているが、これは溝部１７側に形成しても良い。
【００２６】
さらに、溝部１７を伸延部１３に形成しているが、これはステイ部材１４側に形成してもよいことはいうまでもない。
【００２７】
【発明の効果】
以上説明したように、請求項１に記載の発明によれば、使用者にとって最適なサイドキーの押圧部の高さに調節することができ、製造者にとっても種々の機種を個々に製造する必要はなく、主要部を共用化でき、コスト的にも極めて有利となる。
【００２８】
また、伸延部に対してステイ部材を進退させるのみでサイドキーの押圧部の高さ調節を簡単に行なうことができる。
【００２９】
請求項２に記載の発明によれば、ステイ部材と伸延部との間で滑りが生じることはなく、ステイ部材を確実に伸延部に取り付けることができ、両者の当接状態が一体に形成したものと同様強固なものとなる。
【図面の簡単な説明】
【図１】  本発明の実施の形態を示す正面図である。
【図２】  図１の２−２線に沿う断面図である。
【図３】  図１の３−３線に沿う断面図である。
【図４】  本発明の他の実施の形態を示す要部正面図である。
【図５】  一般的なサクソフォンを示す概略図である。
【符号の説明】
１…本管、
４…支柱、
５…レバー本体、
１０…サイドキー、
１２…押圧部、
１３…伸延部、
１４…ステイ部材、
１６…固定部材、
１７…溝部、
０…トーンホール、
Ｐ…キーパッド。
【図１】
0003907781.tif 000002
【図２】
0003907781.tif 000003
【図３】
0003907781.tif 000004
【図４】
0003907781.tif 000005
【図５】
0003907781.tif 000006